(57)【要約】【課題】【解決手段】ネットワークを監視し且つ制御するインテリジェンス能力を備えるネットワーク装置を利用するネットワーク管理システム（ＮＭＳ）アーキテクチャが開示される。ＮＭＳ機能は、可能な場合、保存及び処理を実行することのできるインテリジェント装置に分散することができる。監視情報をローカルに採取し且つ処理する結果、ＮＭＳに関したネットワーク通信量を減少させ、中央ＮＭＳとのネットワーク通信が遮断する間、連続的にローカル的に制御し且つオペレーションを許容し、また、それぞれのインテリジェント装置にてセキュリティポリシーを実行するような、データを採取し且つ、ネットワーク機能を実行する際のより高い信頼性を許容する。
2008511259.tif 000002
【特許請求の範囲】
【請求項１】
少なくとも１つのインテリジェントネットワーク装置にネットワーク結合されたネットワーク管理システムにおいて、
ネットワークマネージャと、
少なくとも１つの制御パラメータとを備え、
前記ネットワークマネージャは、前記インテリジェントネットワーク装置に対する制御パラメータを伝送して前記インテリジェントネットワーク装置に対する物理的及び論理的接続を制御するようにした、ネットワーク管理システム。
【請求項２】
請求項１に記載のネットワーク管理システムにおいて、
前記ネットワークマネージャに結合されたデータベースを更に備え、前記ネットワークマネージャは、前記データベース内の情報に基づいて制御パラメータを発生させる、ネットワーク管理システム。
【請求項３】
請求項２に記載のネットワーク管理システムにおいて、
少なくとも１つのメディアアクセス制御（ＭＡＣ）アドレスを更に備え、
前記ネットワークマネージャは、選択された少なくとも１つの前記インテリジェントネットワーク装置に取り付けられた装置のＭＡＣアドレスに基づいてネットワークへの論理的接続を受け入れ又は拒否する制御パラメータとして、前記選択された少なくとも１つのインテリジェントネットワーク装置にＭＡＣアドレスを伝送する、ネットワーク管理システム。
【請求項４】
請求項２に記載のネットワーク管理システムにおいて、
少なくとも１つの通知と、
少なくとも１つのデータ構造体とを更に備え、
前記ネットワークマネージャは、前記インテリジェントネットワーク装置から通知を受け取り且つ通知から得た情報を前記データ構造体に従って前記データベース内に保存する、ネットワーク管理システム。
【請求項５】
請求項４に記載のネットワーク管理システムにおいて、
前記インテリジェントネットワーク装置に保存された前記インテリジェントネットワーク装置に関係した物理的位置情報と、論理的位置情報とを更に備え、
前記ネットワークマネージャは、前記物理的位置情報及び前記論理的位置情報を含む通知を前記インテリジェントネットワーク装置から受け取ると共に、前記物理的位置情報及び前記論理的位置情報を前記データベース内に保存する、ネットワーク管理システム。
【請求項６】
請求項５に記載のネットワーク管理システムにおいて、前記物理的位置情報は、部屋番号、座標、領域の識別又はＧＰＳ位置の少なくとも１つを含み、前記論理的位置は、ポート番号、装置への接続の識別、ＩＰアドレス、ＭＡＣアドレス又はネットワーク部分の識別の少なくとも１つを含む、ネットワーク管理システム。
【請求項７】
請求項４に記載のネットワーク管理システムにおいて、
少なくとも１つのイベントを更に備え、
前記ネットワークマネージャは、前記イベントが前記インテリジェントネットワーク装置にて生じるとき、前記インテリジェントネットワーク装置から通知を受け取る、ネットワーク管理システム。
【請求項８】
請求項７に記載のネットワーク管理システムにおいて、前記ネットワークマネージャは、受け取った通知に基づいて前記イベントと関係した論理的位置と物理的位置のいずれか一方又は両方を決定する、ネットワーク管理システム。
【請求項９】
請求項２に記載のネットワーク管理システムにおいて、
前記ネットワークマネージャに結合されたオペレータインターフェースを更に備え、
前記ネットワークマネージャは、前記オペレータインターフェースから命令指令を受け取ると共に、前記オペレータインターフェースに対しディスプレイ情報を出力する、ネットワーク管理システム。
【請求項１０】
請求項９に記載のネットワーク管理システムにおいて、
少なくとも１つの移動／追加／変更指令と、
少なくとも１つの移動／追加／変更命令とを更に備え、
前記ネットワークマネージャは、前記移動／追加／変更指令に基づいて、前記移動／追加／変更命令を発生させる、ネットワーク管理システム。
【請求項１１】
請求項１０に記載のネットワーク管理システムにおいて、
少なくとも１つのインジケータ指令を更に備え、ネットワークマネージャはインジケータ指令を発生させると共に、インジケータ指令を選んだインテリジェントネットワーク装置に伝送して移動／追加／変更命令の実行を助ける、ネットワーク管理システム。
【請求項１２】
請求項１に記載のネットワーク管理システムにおいて、
少なくとも１つのソフトウェアモジュールを更に備え、
前記ネットワークマネージャは、前記ソフトウェアモジュールを前記インテリジェントネットワーク装置に伝送し、前記インテリジェントネットワーク装置内のソフトウェアをアップデートする、ネットワーク管理システム。
【請求項１３】
請求項１に記載のネットワーク管理システムにおいて、
前記インテリジェントネットワークは、Ａ−ジャック、電力供給したパッチパネル及び（又は）Ｉ−パネルを含む、ネットワーク管理システム。
【請求項１４】
ネットワークマネージャと、前記ネットワークマネージャに結合されたデータベースと、インテリジェントネットワーク装置とを含むネットワークを管理する方法において、
前記データベース内の情報に基づいて少なくとも１つの制御パラメータを発生させるステップと、
前記制御パラメータを前記ネットワークマネージャから前記インテリジェントネットワーク装置まで伝送するステップと、
前記制御パラメータに基づいて前記インテリジェントネットワーク装置への接続を制御するステップとを備える、ネットワークを管理する方法。
【請求項１５】
請求項１４に記載の方法において、
少なくとも１つのＭＡＣアドレスを、前記ネットワークマネージャから、選択された少なくとも１つの前記インテリジェントネットワーク装置まで伝送するステップと、
ＭＡＣアドレスに基づいて前記インテリジェントネットワーク装置に対する接続を受け入れ又は拒否するステップとを更に備える、方法。
【請求項１６】
請求項１５に記載の方法において、
前記インテリジェントネットワーク装置内にて少なくとも１つの通知を発生させるステップと、
前記通知を前記ネットワークマネージャに伝送するステップと、
前記通知内の情報を前記データベースに保存するステップとを更に備える、方法。
【請求項１７】
請求項１６に記載の方法において、
前記インテリジェントネットワーク装置と関連した物理的位置情報をインテリジェントネットワーク装置に保存するステップと、
前記インテリジェントネットワーク装置と関連した論理的位置情報を発生させるステップと、
前記物理的位置情報及び前記論理的位置情報を含む通知を前記ネットワークマネージャにて受け取るステップと、
前記物理的位置情報及び前記論理的位置情報を前記データベース内に保存するステップとを更に備える、方法。
【請求項１８】
請求項１７に記載の方法において、前記物理的位置情報は、部屋番号、座標、領域識別又はＧＰＳ座標の少なくとも１つを含み、前記論理的位置情報は、ポート番号、装置との接続の識別、ＩＰアドレス、ＭＡＣアドレス、又はネットワーク部分の識別の少なくとも１つを含む、方法。
【請求項１９】
請求項１６に記載の方法において、
少なくとも１つのイベントを検出するステップと、
前記イベントが前記インテリジェントネットワーク装置にて生ずるとき、前記インテリジェントネットワーク装置からの通知を前記ネットワークマネージャにて受け取るステップとを更に備える、方法。
【請求項２０】
請求項１９に記載の方法において、受け取った前記通知に基づいて前記イベントと関係した論理的位置と物理的位置をいずれか一方又は両方を受け取るステップを更に備える、方法。
【請求項２１】
請求項１４に記載の方法において、
少なくとも１つの移動／追加／変更指令を受け取るステップと、
前記移動／追加／変更指令に基づいて、少なくとも１つの移動／追加／変更命令を発生させるステップとを更に備える、方法。
【請求項２２】
請求項２１に記載の方法において、
少なくとも１つのインジケータ指令を発生させるステップと、
インジケータ指令を、選択された前記インテリジェントネットワーク装置に伝送して前記移動／追加／変更命令の実行を助けるステップとを更に備える、方法。
【請求項２３】
請求項１４に記載の方法において、ソフトウェアモジュールを前記インテリジェントネットワーク装置に伝送して前記インテリジェントネットワーク装置内のソフトウェアをアップデートするステップを更に備える、方法。
【請求項２４】
ネットワーク管理システムにおいて、
制御パラメータを発生させる手段と、
前記制御パラメータに基づいてネットワークとの接続を制御する手段と、
前記ネットワーク内にて生ずるイベントに基づいてデータベースをアップデートする手段と、
前記イベントの物理的位置及び論理的位置を決定する手段と、
前記ネットワーク内の移動、追加、変更のための手段とを備える、ネットワーク管理システム。
【請求項２５】
ネットワークマネージャと、前記ネットワークマネージャに結合されたデータベースと、インテリジェントネットワーク装置とを含むネットワークを管理する方法において、
前記データベース内の情報に基づいて少なくとも１つの制御パラメータを発生させるステップと、
前記制御パラメータを前記ネットワークマネージャから前記インテリジェントネットワーク装置まで伝送するステップと、
少なくとも１つのイベントを検出するステップと、
検出された前記イベントと関係した前記インテリジェントネットワーク装置からの通知を前記ネットワークマネージャにて受け取るステップと、
受け取った前記通知に基づいて前記イベントと関係した少なくとも１つの論理的位置と物理的位置のいずれか一方又は両方を受け取るステップと、
前記論理的位置と物理的位置のいずれか一方又は両方に基づいて前記データベースを修正するステップとを備える、ネットワークを管理する方法。
【発明の詳細な説明】
【関連出願の相互参照】
【０００１】
［０００１］  この非仮特許出願は、２００４年８月２４日付けで出願された「アクティブなケーブル管理システム（Ａｃｔｉｃｖｅ  Ｃａｂｌｅ  Ｍａｎａｇｅｍｅｎｔ  Ｓｙｓｔｅｍ）」という名称の米国仮特許出願明細書６０／６０３，５６９号の利益を主張するものである。仮特許出願の出願人はジャック・Ｅ・カベニー（Ｊａｃｋ  Ｅ．Ｃａｖｅｎｅｙ）及びロナルド・Ａ・ノーディン（Ｒｏｎａｌｄ  Ａ．Ｎｏｒｄｉｎ）である。上記の仮特許出願の内容は、引用した全ての参考を含んで参考のため本明細書に含める。
【技術分野】
【０００２】
［０００２］  ネットワーク管理システム（ＮＭＳ）は、ネットワークの重要な要素である。現在のＮＭＳは、極めて高能力ではあるが、改良が必要とされている。
【発明の開示】
【課題を解決するための手段】
【０００３】
［０００３］  ネットワークの監視及び制御のためインテリジェンス能力を備えるネットワーク装置の利点を活用するＮＭＳアーキテクチャが開示されている。中央ＮＭＳにて情報を採取し且つ、該中央ＮＳＭから制御指令を発することのみに代えて、ＮＭＳ機能は、可能な場合、ローカルな保存及び処理を行うことができるインテリジェントネットワーク装置に分散させることができる。監視情報をローカル的に採取し且つ処理することは、ＮＭＳに関連したネットワークの送信量を減少させ、中央ＮＭＳとのネットワーク通信が妨害される時間の間、連続的なローカルエリア制御及びオペレーションを許容すると共に、それぞれのインテリジェントネットワーク装置におけるデータの採取及びセキュリティポリシーの実行のようなネットワーク機能の実行のとき、より高信頼性を許容する。
【０００４】
［０００４］  例えば、パッチパネル及びジャックレセプタクルは、ＲＪ４５コネクタを介して最終ユーザ装置を容易に接続するためネットワークスイッチの下流に配設されたネットワーク装置とすることができる。情報を保存することを含んでインテリジェンスをこれらのネットワーク構成要素内に導入し、監視情報を採取し且つ、これらの装置に保存し、また、これらのレベルにて任意のネットワーク規模のポリシーを実行することができる。
【０００５】
［０００５］  設置されたとき、アクティブなジャック（Ａ−ジャック）のようなインテリジェントなジャックレセプタクルは、そのＡ−ジャックにて許容されたメディアアクセス制御（ＭＡＣ）アドレスのリストのような、物理的位置情報（例えば、部屋番号）及びセキュリティ情報を装填することができる。無権限のＭＡＣアドレスを有する最終ユーザ装置が接続を試みるならば、Ａ−ジャックは独立的に接続を拒否し、このため、ネットワークポリシーを実行する。更に、Ａ−ジャックは、付随的なネットワーク送信量を有する中央ＮＭＳから多数のアクションを要求せずに、かかる実行アクションを中央ＮＭＳに報告することができる。
【０００６】
［０００６］  監視情報及び物理的位置情報は採取し且つＡ−ジャックにて保存することができる一方、かかる情報は、中央ＮＭＳにて又はより高レベルの監視及び制御のため任意の介入するインテリジェントネットワーク装置にアップロードすることができる。例えば、中央ＮＭＳは、ネットワークを管理する目的のため、トポロジー情報を維持することができる。中央ＮＭＳにより全てのインテリジェントネットワーク装置に指令を発して、例えば、中間段階にて又は特定の時間間隔にて物理的位置及び接続の情報をアップロードすることができる。更に、物理的位置データ、セキュリティ違反情報、装置のイベントへの変更等のようなその他の情報をＮＭＳに自動的に送りネットワークを効率的に管理することができる。
【０００７】
［０００７］  インテリジェンスは、パッチパネルに配設し、ネットワークの接続情報が容易に決定され且つ制御されるようにすることができる。例えば、新たな装置が設置されたとき、最終ユーザ装置は、インテリジェントなパッチパネル（Ｉ−パネル）にて特定のポートに割り当てることができる。Ｉ−パネルは、そのローカル記憶装置に新たな接続を記録し且つ、新たな最終ユーザ装置のＭＡＣアドレスが任意のセキュリティポリシーを満足することを確認することができる。装置が故障し、また、ネットワークの接続の変更が必要とされるならば、Ｉ−パネルは、接続の変更（移動／追加／変更）を記録し、新たなＭＡＣアドレスを記録し、また、例えば日付けスタンプを含む変更の事実を記録し、セキュリティ実行のため分析を直ちに実行し又はその後に分析を実行し例えば、ネットワークのメンテナンススケジュールを決定することができる。
【０００８】
［０００８］  取り付けた装置に対しパッチパネル（例えば、電力供給したパッチパネルすなわちＰＰＰ）を介して電力が供給されるならば、追加的な電力に関係した監視データ及び制御データをローカルにＰＰＰにて保存し、また、電力ポリシーの実行をＰＰＰにてローカルに行うことができる。例えば、各ポートの電力消費量を監視し、また、設定された限界値を上回ったとき、追加の電力を制限し、そのポートへの電力の供給を停止し、警告を発する等を行うことができる。更に、ＰＰＰは、この情報の任意のものをより高レベルのインテリジェントネットワーク装置に又は中央ＮＭＳに報告して更なる監視機能及び制御機能を果たすことができる。
【０００９】
［０００９］  このように、ＰＰＰ、Ｉ−パネル及びＡ−ジャックのようなインテリジェントネットワーク装置は、ＮＭＳと共に、インテリジェンスが指令を実行し且つ、広範囲に亙る装置の特定の特徴及び能力を制御するための基礎を提供することができる。更に、ローカル的に採取した情報は、ＮＭＳによってアクセスし、修正し、削除等し、それぞれのＰＰＰ、Ｉ−パネル及びＡ−ジャック装置の状態を知りネットワークレベルにて処理し、その結果、管理目的、セキュリティ及び（又は）電力ポリシーと一致する新たな指令及び制御パラメータをローカルに監視し且つ制御するためローカルインテリジェントネットワーク装置に分散させることができる。
【００１０】
［００１０］本発明は、同様の要素を同様の参照番号にて表示する図面に関して詳細に説明する。
【発明を実施するための最良の形態】
【００１１】
［００２１］  図１には、ネットワーク管理システム（ＮＭＳ）１２０と、ネットワーク１１０によって相互に接続された最終ユーザ装置１３０、１４０、１５０とを有する一例としてのシステム１００が示されている。ネットワーク１１０は、ローカルエリアネットワーク（ＬＡＮ）、広域ネットワーク（ＷＡＮ）又はその他の接続アーキテクチャを表すものとすることができる。ＮＭＳ１２０及び最終ユーザ装置１３０、１４０、１５０は、有線、無線、又は光学的リンク１２５、１３５、１４５、１５５を介してネットワーク１１０と接続される。ＮＭＳ１２０は保存装置１６０と接続される。
【００１２】
［００２２］  ＮＭＳ１２０は、例えば、ネットワーク・トポロジー・データベースの維持、ネットワーク形態の管理及び制御、セキュリティポリシーの確立及び分散、また、最終ユーザ装置１３０、１４０、１５０の接続可能性及び作動状態、セキュリティの違反、電力過剰ネットワークシステムに対する電力の分散状態の監視等を含むことのできる、ネットワークの監視のようなネットワークの管理機能を果たす。これらのネットワークの管理機能は、ネットワーク１１０及び（又は）最終ユーザ装置１３０、１４０、１５０内のインテリジェントなネットワーク装置（すなわちＮＭＳと通信し且つＮＭＳにより管理することのできるネットワーク装置）から自動的にイベントを通知するため指令を送り且つ応答を受け取り又は監視することにより、ＮＭＳ１２０によって実行することができる。
【００１３】
［００２３］  図２には、一例として有線接続を想定する細部を拡大したシステム１００の一例としてのブロック図２００が示されている。リンク１３５、１４５は、イーサネット系（Ｅｔｈｅｒｎｅｔ−ｂａｓｅｄ）通信スイッチ、クロス接続パッチパネル２３０ａ、電力供給パッチパネル（ＰＰＰ）２４０のようなスイッチ２２０を示すため拡大されている。この場合、一例としてＰＰＰ２４０が使用される。この時点にて最終ユーザ装置への電力の供給が必要とされないならば、パッシィブなパッチパネル又はインテリジェントなパッチパネルを使用することができる。
【００１４】
［００２４］  リンク１３５は、ケーブル２１０ａによってネットワーク１１０と接続されたスイッチ２２０ａと、ケーブル２２５ａによってスイッチ２２０ａと接続されたクロス接続パッチパネル２３０ａとを有し、該ケーブルはスイッチ２２０ａのスイッチポート２７０ａをクロス接続パッチパネル２３０ａの裏側に配置されたパンチダウンブロックと接続する、クロス接続の形態にて示されている。クロス接続パッチパネル２３０ａは、ポート２７５ａ、２８０ａを使用して、パッチコード２３５ａによりＰＰＰ２４０ａと接続することができる。
【００１５】
［００２５］  ＰＰＰ２４０ａは、例えば、ＰＰＰ２４０ａの後端に配置されたＰＰＰ２４０ａのパンチダウンブロックを介してＰＰＰ２４０ａと接続された水平ケーブル２５０ａによって部屋２６０ａ内のジャックと接続することができる。最終ユーザ装置１３０は、部屋２６０ａ内に配置し且つ、例えば、部屋２６０ａ内のＡ−ジャック２９０ａのようなジャックを介してネットワーク１１０と接続することができる。
【００１６】
［００２６］  クロス接続パッチパネル２３０ａ、ＰＰＰ２４０ａの位置は、交換して、ＰＰＰ２４０ａがスイッチ２２０ａと接続され、クロス接続パッチパネル２３０ａがパッチコード２３５ａによりＰＰＰ２４０ａと接続され、また、クロス接続パッチパネル２３０ａのパッチダウンブロックを介して水平ケーブル２５０ａにより部屋２６０ａと接続されるようにしてもよい。また、電力ハブをスイッチ２２０ａと、ＰＰＰに代えてクロス接続パッチパネル２３０ａとの間に配設することもできる。
【００１７】
［００２７］  リンク１４５は、ＰＰＰ２４０ｂをスイッチ２２０ｂと接続する相互接続の形態にて示されている。部屋２６０ｂ内のＡ−ジャック２９０ｂのようなジャックは、水平ケーブル２５０ｂを介してＰＰＰ２４０ｂのパンチダウンブロックと接続される。このように、相互接続形態はクロス接続パッチパネルを不要にする。
【００１８】
［００２８］  図３には、追加的な詳細及び可能な変更と共に、図２に示したネットワーク装置及び接続部が示されている。リンク１３５は、クロス接続パッチパネル２３０ａがＩ−パネル２３１ａにて置換された状態で示されている。リンク１４５は図２に示したものと同一である。リンク１５５は、リンク１３５におけるのと実質的に同一の態様にて接続されたケーブル２１０ｃ、スイッチ２２０ｃ、クロス接続パッチパネル２３０ｃ、ＰＰＰ２４０ｃ、Ａ−ジャック２９０ｃを有して拡張した状態で示してある。ＤＩＦ２４５ｃ、２９５ｃは、それぞれＰＰＰ２４０ｃ、Ａ−ジャック２９０ｃに対して示されている。リンク１２５は、スイッチ２２０ｄを示すよう拡張してある。
【００１９】
［００２９］  部屋２６０ａは、線２９７ａによって最終ユーザのＶｏＩＰ電話機１３０と接続されたＡ−ジャック２９０ａを含む状態で示されている。部屋２６０ｂは、線２９７ｂにより最終ユーザＰＣ１４０と接続されたＡ−ジャック２９０ｂを含む状態で示されている。Ａ−ジャック２９０、Ｉ−パネル２３０ａ及びＰＰＰ２４０は、ＮＭＳ１２０／ＮＭＳ１２０にメッセージを送り且つ、ＮＭＳ１２０／ＮＭＳ１２０からメッセージを受け取ることができるインテリジェントなネットワーク装置である。更に、Ａ−ジャック２９０は、最終ユーザ装置１３０、１４０へのＰｏＥの分散を監視し且つ、制御することができる。
【００２０】
［００３０］  ＮＭＳ１２０は、ＰＰＰ２４０、インテリジェントパッチパネル２３０ａ及び（又は）以下に説明するＡ−ジャック２９０のようなインテリジェントジャックのようなインテリジェントネットワーク装置とリンク１３５、１４５、１５５を介して通信することにより、ネットワークの管理機能を実行することができる。データは、ＮＭＳ１２０と、インテリジェントネットワーク装置の任意のものとの間にて多くの方法にて共用することができるが、効率的なデータ通信が実現されるようデータの交換のためのフォーマットを規定することが便宜である。この目的のため、装置のインターフェースファイル（ＤＩＦ）を各インテリジェント位置にて保存し、伝送されたデータを受け取り且つ成功裏に解析される（ｐａｒｓｅｄ）ようにすることができる。ＤＩＦは、多数のフォーマットを規定することができ、それは、データの型式及びデータの量は、特定のインテリジェントネットワーク装置に顕著に依存するからである。例えば、ＰＰＰ２４０との通信は、電力の消費、電圧及び電流の閾値に関係する一方、Ａ−ジャック２９０の場合、ＭＡＣのアドレス及びセキュリティポリシー情報がより関連するであろう。更に、全ての装置は、それ自体の物理的位置データを保存することができる。このように、図２に示すように、ＤＩＦ２０５、２３２ａ、２４５ａ、２４５ｂ、２９５ａ、２９５ｂは、ＮＭＳ１２０、Ｉ−パネル２３０ａ、ＰＰＰ２４０ａ、２４０ｂ及びＡ−ジャック２９０ａ、２９０ｂについてそれぞれ示されている。
【００２１】
［００３１］  ＮＭＳ１２０は、ネットワークトポロジーのデータベースの保存装置１６０内に維持し且つ、装置の情報はＮＭＳ１２０、Ｉ−パネル２３０ａ、ＰＰＰ２４０ａ、２４０ｂ、Ａ−ジャック２９０ａ、２９０ｂ内のＤＩＦの各々からからそれぞれ検索して集中制御を行うことができる。物理的なトポロジー情報は、各ネットワーク装置、建物／フロア／部屋番号識別子のようなネットワーク装置の物理的位置に対する独特の識別子、装置のラックの識別、識別されたラック内の位置、水平ケーブルの作業領域の識別等を含むことができる。論理的トポロジー情報は、パッチパネルの識別、パッチパネルのポート番号、ジャックの識別、水平ケーブル及び作業領域のジャックの識別、電源の識別等のようなネットワーク装置の接続可能性を含むことができる。
【００２２】
［００３２］  ＮＭＳ１２０は、オペレータがネットワークを維持し且つ、制御すると共に、所望のポリシーを管理することを許容するグラフィカルユーザインターフェース（ＧＵＩ）が設けられたオペレータ端子を含むことができる。例えば、かかるＧＵＩは、監視ハードウエアが設けられたネットワーク内のＩ−パネル、ＰＰＰ及びＡ−ジャックのようなインテリジェントネットワーク装置と接続された装置のグラフィック的に監視された電力及び故障状態並びにインテリジェントネットワーク装置自体の状態をオペレータが視認することを許容することができる。このように装備されたとき、かかる状態の情報は、Ｉ−パネル及びＰＰＰの各ポートに分割することができる。
【００２３】
［００３３］  ＧＵＩは、ネットワークのトポロジーのグラフィックディスプレイを提供することができる。このトポロジーは、樹に分けて組織化し、その樹の枝の各々は、ネットワークのサブネットワークを形成するか又はインテリジェント装置が位置する建物の物理的特徴の詳細を示すフロアの図面を提供することができる。例えば、ＧＵＩは、次のものを表示することができる。
１．ネットワーク内の全てのパッチパネル（パッシィブ、インテリジェント及び（又は）電力供給された）の階層図；
２．ＰＰＰ及び（又は）Ｉ−パネルのリスト；
３．選んだラックの各ＰＰＰ及び（又は）Ｉ−パネルに関する情報。
【００２４】
ＧＵＩは、ある範囲のＩＰアドレスを亙る選んだサブネットワークのパネルの探知、ポート毎を基本とする情報の視認及び（又は）変更のような機能をサポートする能力を提供することができる。
【００２５】
［００３４］  ネットワークトポロジー及び装置の情報（ＴＤＩ）データベースは、少なくとも２つの方法にて投入する（ｐｏｐｕｌａｔｅｄ）ことができる、すなわち、１）供給源が各インテリジェントネットワーク装置である場合、かかる情報に対するＮＭＳの要求に応答すること、２）装置との接続可能性の変更のようなインテリジェントネットワーク装置のローカルイベントに基づいてインテリジェントネットワーク装置から通知することである。ネットワークを効率的に維持するため、ＮＭＳ１２０は、スケジュールに基づいてＴＤＩデータベースを定期的にアップデートすること等を行うことができる。アップデートを実行すべき場合、ＮＭＳ１２０は、ＳＮＭＰを使用するとき、「取得（ＧＥＴ）」メッセージのような情報の要求を全てのインテリジェントネットワーク装置に送り出すことができる。メッセージを受け取ったとき、インテリジェントネットワーク装置の各々は、その状態及び接続された全ての装置の状態を報告することができる。例えば、インテリジェントネットワーク装置から受け取ることのできるデータは、次のものを含むことができる。
【００２６】
１．部屋の識別、ラックの識別、水平ケーブル、作業部屋のジャック識別等のような物理的位置情報；
２．パネル及びポートの識別、スイッチポートの識別、電源の識別等のような接続情報；
３．電力供給した装置がポートに接続されているかどうか；
４．電流の消費量。
【００２７】
このことは、ＰＰＰのようなインテリジェントネットワーク装置に特に関連し、それは、ＰＰＰは、それらのポートに電力を供給し、ＰＰＰを通じて供給された電力の総量は、ネットワークの電力費用管理の目的のため監視することができるからである。
【００２８】
［００３５］  上述したように、ＴＤＩデータベースは、インテリジェントネットワーク装置のローカルイベントの発生に基づいてインテリジェントネットワーク装置から自動的な通知を介して情報を受け取ることもできる。かかる通知から受け取った情報は、次のものを含むことができる。
【００２９】
１．ＭＡＣアドレスフィルタに基づくセキュリティ違反の検出。かかるフィルタは、例えば、特定のポートに接続することのできる有効なＭＡＣアドレスのリストに基づいてＰＰＰ、Ｉ−パネル及び（又は）Ａ−ジャックによって実現することができる；
２．ポートから除去されたＲＪ４５ジャック、Ａ−ジャックのようなポートと接続され又は該ポートから切り離された最終ユーザ装置等に起因する位置の変更；
３．ＩＰ電話機又はコンピュータを介しての音声の無応答、下流の装置からの信号無しとなるケーブルの破損等のような故障の検出；
４．例えば、切り離されたＰＰＰポートに対する装置への電力供給；
５．特定の限界値に亙る電力消費量のような非順応的な装置への電力供給；
６．ＰＰＰ電力消費量の閾値以下への低下；
７．ＰＰＰの物理的位置の変化；
８．ＰＰＰの入力電圧が所望の範囲外である（例えば、高過ぎ又は低過ぎ）；
９．ＰＰＰの電力ヒューズの切れ；
１０．ＰＰＰへの入力電力量；
１１．ＰＰＰの電力消費量が閾値を上回る；
１２．Ｉ−パネル検出パッチコードの接続；
１３．Ｉ−パネル検出パッチコードの切り離し；
１４．ＰＰＰ及びＩ−パネル管理ポートの接続の検知；
１５．ＰＰＰ及びＩ−パネル管理ポートの切り離し。
【００３０】
［００３６］  オペレータは、インテリジェントネットワーク装置の色々なパラメータを設定することにより、ＧＵＩを使用してネットワークを制御することができる。例えば、オペレータは、次のことを行うことができる：
１．任意のパッチパネルを監視することにより、維持を実行すること（例えば、試験信号を送ることによりポートの接続を実証し、インテリジェントネットワーク装置との接続を確認する等）；
２．Ａ−ジャック又はＰＰＰの任意のポートに対する出力電力の優先度を指定すること。例えば、１つのポートを、低、高又はクリティカル優先度として指定することができる；
３．ＰＰＰ又はそのポートの任意のものに対する電力消費量の閾値を設定すること。例えば、かかる閾値は、電流及び（又は）電圧値の形態にて設定することができる；
４．例えば、ＰＰＰに対する電力の電流及び電圧の閾値をリアルタイムにて監視し且つ設定すること。閾値は、警報状態を検出し得るよう設定することができる；
５．ＰＰＰが２つの電源から供給されるとき、第一の電源のパラメータ、第二の電源のパラメータ及び例えば、電圧又は電流のような、総和点におけるパラメータの監視；
６．ＰＰＰの全てのポートに対する全電力を出力する指令；
７．パネルの（例えば、Ｉ−パネル又はＰＰＰ）又はパネルの少なくとも１つのポートに対する電力消費量を検出し且つ表示すること；
８．ＰＰＰのようなパネルの少なくとも１つのポートの選択的な電力減少；
９．動的（ＤＨＣＰ）又は静的ＩＰアドレスの指定；
１０．ＰＰＰのような１つのパネルのポートへの零電力供給の特定；
１１．ＰＰＰのＬＥＤの作動の制御（点滅率、オン／オフ等）；
１２．ＰＰＰの各ポートに対する電力モードの指定（例えば、標準、強制的又は装置のチェックを伴った強制的）。
【００３１】
[００３７］  図４には、ＮＭＳ１２０によって管理可能であるインテリジェント装置８００の一例としてのブロック図が示されている。インテリジェントネットワーク装置８００は、例えば、Ａ−ジャック２９０、Ｉ−パネル２３０ａ、ＰＰＰ２４０、ＶｏＩＰ電話機１３０、ＰＣ１４０等のような多岐に亙る型式の装置とすることができる。インテリジェントネットワーク装置８００は、コントローラ８１０と、２方向通信を表すポート８５０、８６０のようなポートと、ネットワークインターフェース８２０と、ランダムアクセスメモリ８３２及び不揮発性メモリ８３４を含むことができるメモリ８３０とを有することもできる。更に、インテリジェントネットワーク装置は、ネットワーク１１０を亙ってメッセージを受け取り、処理し且つ送信することができる。インテリジェントネットワーク装置は、ＲＡＭ８３２及び（又は）不揮発性メモリ８３４内に選んだＤＩＦ規定のデータを保存することができる。このようにして、インテリジェントネットワーク装置は、ＤＩＦオブジェクトを不揮発性メモリ内に保持し、これによりインテリジェントネットワーク装置がこれらのＤＩＦパラメータの保存箇所として機能するのを許容することができる。この説明は、不揮発性メモリに保存することのできる１組みの一例としてのＤＩＦ規定のデータを提供する。不揮発性メモリの量に依存して、ＤＩＦ規定データの任意のもの又は全てを不揮発性メモリに保存することができる。このようにして、適用されたポリシーは、インテリジェントネットワーク装置への電力が失われた後でさえ、実行状態を保ち、その後に復旧することができる。
【００３２】
［００３８］  コントローラ８１０は、ネットワークインターフェース８２０を介してネットワーク１１０と接続し且つ、ＭＡＣアドレス情報、ＤＩＦ、ローカル順応性装置の制御データ、ローカル状態データ等のような可変値をメモリ８３０に保存する。メモリ８３０内のデータは、ネットワークの維持及び制御のため、ＮＭＳ１２０に送るか又はＮＭＳ１２０によって受け取ることができる。
【００３３】
［００３９］  情報は、自動的に（すなわち、インテリジェントネットワーク装置からＮＭＳ１２０へのイベントの通知の結果として）又はＮＭＳ１２０から少なくとも１つのインテリジェントネットワーク装置に対して発した質問要求に応答してインテリジェントネットワーク装置からＮＭＳ１２０に提供することができる。この情報に基づいて、ＮＭＳ１２０は、論理的及び物理的接続可能性の情報、装置の形態及び（又は）物理的位置のような情報を得ることができる。例えば、ＮＭＳ１２０は、インテリジェントネットワーク装置の任意のもの又は全てに問合わせて、それらのそれぞれの独特の識別子（例えば、ＭＡＣアドレス）及びそれらの物理的及び論理的アタッチメントを要求し、これらのインテリジェントネットワーク装置が論理的位置及び物理的位置をマッピングすることができる。
【００３４】
［００４０］  例えば、図３に関して説明したように、ＮＭＳ１２０は、スイッチ２２０ａから通知イベントを受け取り、また、ＰＰＰ２４０ａからイベント通知を受け取り、かかるイベント通知は、これらの装置によりサポートされたリンク１３５におけるインテリジェントネットワーク装置の下流の通信の妨害（例えばリンクの故障）を表示する。保存装置１６０及び（又は）ＰＰＰ２４０ａにより識別されたリンクと関係したポート内に保存したネットワークの接続可能性の情報に基づいて、ＮＭＳ１２０は、リンクと関係したＡ−ジャック２９０ａに対する要求質問を発することができる。ＮＭＳ１２０がＡ−ジャック２９０ａから応答を受け取らないならば、ＮＭＳ１２０は、その組み合わさった情報を特に、ＰＰＰ２４０ａとＡ−ジャック２９０ａとを接続するケーブル２５０ａの通信遮断として解釈することができる。
【００３５】
［００４１］  別の例において、ＮＭＳ１２０は、最終ユーザ１３０をサポートするリンク１３５と関係した「リンク故障」イベント通知をＡ−ジャック２９０ａから受け取ることができる。スイッチ２２０ａから「リンク故障」の通知が無いならば、ＮＭＳ１２０は、そのイベントの通知を作業領域又は部屋２６０ａ内の問題であると解釈し且つ、最終ユーザ装置１３０が故障し又は切り離されたことを示す。このように、ＮＭＳ１２０は、その故障を水平ケーブルの基盤又は作業領域の一部分に隔離することができる。
【００３６】
［００４２］  図５には、ＮＭＳコントローラ７１０と、ネットワークインターフェース７２０と、装置インターフェースファイル７３０とを含むことができるＮＭＳ１２０の一例としてのブロック図が示されている。ＮＭＳコントローラ７１０は、ネットワークインターフェース７１０を介してネットワーク１１０と接続し、装置のインターフェースファイル７３０を使用して装置の通信処理を行い且つ、保存装置１６０に結合してポリシー、ネットワークの維持及び制御を実行するのに必要な情報等を保存する。一例としてのモジュール７４０ないし７９０は、ＮＭＳコントローラ７１０内に示されている。これらのモジュールは、ＮＭＳコントローラ７１０によって実行されるソフトウェアプログラムとして実施することができる。説明の目的のため、モジュール７４０ないし７９０は、ソフトウェアプログラムであり、その名称はＮＭＳコントローラ７１０がそれらの機能を実行するときに使用されるものと想定する。
【００３７】
［００４３］  形態管理モジュール（ＣＭ）７６０は、検出された全てのインテリジェントネットワーク装置に関係した情報を含むネットワークデータベースを使用し且つ、保存装置１６０内のネットワーク内に維持する。管理された装置が例えば、追加、削除又は位置変更されたとき、ＣＭ７６０は、新たなエントリ（プロビジョニング）を形成し、既存のエントリを削除し又はネットワークベース内のエントリを変更することによってネットワークデータベースをアップデートすることができる。
【００３８】
［００４４］  インテリジェント装置がプロビジョンされるとき、設置箇所特有の情報（例えば、建物、フロア、作業領域等）並びにネットワーク装置の製品群また、ネットワーク装置が属する製品群内の製品グループはＮＭＳ１２０に送られ、ＣＭ７６０はこれに応じてネットワークデータベースをアップデートする。始動したとき、インテリジェント装置は、インテリジェントネットワーク装置のＮＭＳ１２０に通知し且つ、ＮＭＳ１２０に対し上述したようなＤＩＦ順応可能なイベントデータを提供するＤＩＦ順応可能なイベントの通知を開始することができる。かかる通知が実行されないならば、ＣＭ７６０は、ネットワークを走査するとき、インテリジェントネットワーク装置を検出し且つ、この時点にて設置箇所特有の情報を装置から要求する。
【００３９】
［００４５］  例えば、製品群は、ＰＰＰ、Ｉ−パネル、Ａ−ジャックを３つの別個のグループの装置として含むことができる。ＮＭＳ１２０を使用してインテリジェントネットワーク装置に対し設置箇所特有の情報の提供を開始することができる。プロビジョニングプロセスの一環として、ＣＭ７６０は、ＭＡＣアドレス又はＤＩＦに基づく製品識別子のような独特の識別子により上記のグループの１つに属するとしてインテリジェントネットワーク装置を識別し、また、ネットワークデータベースへ適宜なエントリを為すことができる。この装置に対する追加的な情報は、プロビジョニングの間、ネットワークデータベースに入力することができる。例えば、装置の物理的位置（例えば、建物、フロア、作業領域、ＧＰＳ座標、その他の装置との接続可能性、ネットワーク内の論理的又は物理的サブネットの位置等）、装置が動的ＩＰアドレスを割り当てられ又はＮＭＳ１２０によって直接、静的ＩＰアドレス、ＩＰサブネットマスク、初期値ゲートウェイ（Ｇａｔｅｗａｙ）ＩＰアドレス等が与えられるべきかを表示するため、かかるエントリを為すことができる。ＣＭ７６０は、インテリジェントネットワーク装置からイベント通知データを受け取るため、ネットワークデータベース構造を初期化することもできる。更に、ＣＭ７６０は、ネットワーク装置から発した通知イベントの分散（すなわちトラップ）を制御するイベントの通知に関係した情報を保存することができる。その後、ＮＭＳ１２０は、ＤＩＦを使用してこの情報を装置内に恒久的に保存することができる。これと逆に、ＮＭＳ１２０は、ネットワーク内の各装置からの検索を通してかかる情報を使用して、物理的及び論理的トポロジーマップを構成し、例えば、ＧＵＩモジュール（ＧＵＩ）７９０を介してオペレータに提供するようにしてもよい。
【００４０】
［００４６］  この情報は、イベントの通知（例えば、ＳＮＭＰにてトラップ）が実行される毎にアクセス可能である各インテリジェントネットワーク装置内のテーブル内に保存することができる。通知テーブルは、インテリジェントネットワーク装置が通知イベントを送ることが可能な受け手を識別できる。例えば、ＣＭ７６０を使用してＮＭＳ１２０のＩＰアドレスを入力し且つ、切り離されるＮＭＳ１２０に置換することのできるその他のＮＭＳ１２０のＩＰアドレスを入力することができる。一例としてのＳＮＭＰ系環境において、ＮＭＳ１２０は、各インテリジェントネットワーク装置内に５つまでのＳＮＭＰトラップの指定を記録することができる。各トラップの指定に対し、その指定が通知イベントを受け取り得るようにするため達成しなければならない厳格度レベルをフィルタ処理すべく使用されるビットマスクフィルタを追加することができる。例えば、これらのレベルは、クリティカル（１）、重要（２）、軽微（４）、忠告（８）及び全て（１５）を含むことができる。厳格度の値は、指定ＩＰアドレスの１つ以上の厳格度レベルを受け入れるのを許容し得るようレベルを組み合わせたものとしてもよい。ネットワーク装置に対して保存することができるＩＰオブジェクトに関係した詳細な情報は、本明細書の後に記載した１つの好ましい実施の形態に含むことができる。更に、これらの説明は、ＤＩＦデータをインテリジェントネットワーク装置内に保存する状態に関する情報（すなわち、管理されたデータが揮発性又は不揮発性メモリ内に保存されるかどうか）を提供する。
【００４１】
［００４７］  更に、インテリジェントネットワーク装置を検出したとき、ＮＭＳ１２０は、その検出された装置と関係した物理的位置情報を記録することができる。例えば、検出された装置がＰＰＰ又はＩ−パネルのようなパッチパネル型装置であるならば、ＣＭ７６０は、その内部にパネルが取り付けられるラック、ラックの位置番号として表示されたラック内のパネルの位置、パネルの位置の識別子、パネルと関係した電源の名称を記録することができる。更に、作業領域の位置、すなわちパネルの各ポートがサービスする最終ユーザの装置の位置のリストをパネル装置と関係する状態で記録することもできる。装置群の型式及びＭＡＣアドレスが記録されるとき、装置のファームウェアの型式番号、また、インテリジェントネットワーク装置の管理オブジェクトの位置も記録されることを認識すべきである。更に、アクティブなジャックは、フロア及び部屋番号、また、そのジャックが配置される関係したストリートのアドレスは、該ジャックが結線されるケーブルのＩＤと、ケーブルが結線されたパネル及びポートと共に、保存することができる。
【００４２】
［００４８］  ＣＭ７６０が検出された装置に関係した識別情報（例えば、装置の型式、装置の識別子、装置の物理的位置、ＭＡＣアドレス、装置のＩＰ論理アドレス、装置の各ポートによりサポートされる各最終ユーザの作業領域及びケーブル端末に関係した情報）を記録し又は検索したならば、新たに検出された装置に関係した識別を確立することに関する保存装置１６０へのエントリを完了することができる。
【００４３】
［００４９］  ネットワークデータベース内に記録された情報は、インテリジェントネットワーク装置の性質に依存して変更可能である。例えば、Ａ−ジャック装置は、多数のポートを有するパネル装置と同一の製品群及び位置の情報を有するものとすることができるが、Ａ−ジャックが単一ポートであることを考慮して、１つのポートに関係した情報は例えば、２４のポートを含むこともできるＰＰＰに対向したものとして記録することができる。全てのインテリジェントネットワーク装置に対して記録された情報は、同一の製品群に属するインテリジェントネットワーク装置間にて共有する共通の特徴に関して同様のデータ構造を有するものとすることができる。
【００４４】
［００５０］  イベントモジュール（ＥＭ）７８０を使用して関連する情報を抽出するため受け取ったイベントの通知データを編成し且つ解析することができる。受け取った情報が例えば警報メッセージであるならば、ＥＭ７８０は、そのエントリを保存装置１６０内に維持されたメッセージ記録簿に記録することができる。更に、受け取ったデータがオペレータの注意を促す警報を発するのに十分な厳格度の警報であるならば、ＥＭ７８０は、ＧＵＩ７９０を介して提供される受け取ったデータのフォーマットを形成することができる。形態管理データの可能な変更を含むイベントの通知を、解析及び更なる処理のためＣＭ７６０に伝送することができる。
【００４５】
［００５１］  ＥＭ７８０は、ＮＭＳ１２０がそれ以前に接続されたインテリジェントネットワーク装置との接続を再確立することができないとき、通信不能メッセージを表示することができる。ＥＭ７８０は、報告された全てのネットワーク装置のイベントのリストを保存し且つ、表示する能力を備えるものとすることができる。かかるイベントのリスト化は、厳格度によって次のものを含む性質と共に表示されるカラーコード化を介して改良することができる。すなわち１）厳格度（クリティカル、重要、軽微情報）、２）１日の時間、３）影響を受けたネットワーク装置の物理的位置を含むイベントの概要。記録簿はエクスポート可能であり、また、ＮＭＳ１２０の外側のシステムにより自動的解析をサポートすることができる。
【００４６】
［００５２］  ＧＵＩ７９０は、次のことをサポートすることができる。
１．監視されたネットワーク装置の各々に対する建物のフロア、部屋及びラックのグラフィカル構造；
２．監視されたネットワーク装置がその内部に配置されるラックのグラフィカル構造；
３．監視されたネットワーク装置（例えば、Ａ−ジャック、Ｉ−パネル又はＰＰＰ）のグラフィカル表現；
４．監視されたネットワーク装置の表面の正面側におけるＬＥＤの現在の状態を表す監視されたネットワーク装置のグラフィカル表現；
５．監視されたネットワーク装置のポートと関係した電力供給された装置（ＰＤ）の現在の状態を表す監視されたネットワーク装置のグラフィカル表現；
６．監視された表示したネットワーク装置及び（又は）選んだポートと接続された装置の状態に依存して、ポート又はポートに取り付けられた装置と関係した追加的な情報に対する開始点として使用することのできる監視ネットワーク装置のグラフィカル表現における各ポート；
７．物理的に正確である物理的トポロジーマッピングの表現。例えば、Ａ−ジャックがＰＰＰにてポートと接続されるならば、物理的トポロジーのマッピングはその接続部を表すこともできる。グラフィカルユーザインターフェースは、論理的トポロジーのマッピングをサポートすることもできる。論理的及び物理的マッピングの双方は、予備的なグラフィカルユーザインターフェースディスプレイを介してユーザによって提供されたパラメータに基づき、ＧＵＩ７９０によって情報保存装置１６０から検索された情報に基づくものとすることができる。
８．プリント物は次のものを含むことができる。
１）ポートの情報及びポートの接続部と関係した詳細を含む、保存装置１６０内に含まれる全ての監視されたシステムネットワーク装置の完全な一覧；
２）全ての製品、ポートの接続及びポート情報の詳細の部分的一覧。パラメータは次のものを含むことができる；
ａ．ポートの最終位置；
ｂ．パネルの型式；
ｃ．ＰＤの型式；
ｄ．ＰＤのクラス；
ｅ．全ての製品の電力プロファイル；
ｆ．総電力消費量；
ｇ．スイッチポートの利用率；
ｈ．インテリジェントネットワーク装置の利用率。
【００４７】
上記の情報の全ては、取り付けた全ての電力装置の電力利用率を含んで、物理的及び論理的接続可能性のリアルタイムの表現を表す、各インテリジェントネットワーク装置からの要求に基づいて検索することができる。
【００４８】
［００５３］  更に、ＧＵＩ７９０は、ネットワーク管理システムによって管理される全ての項目を含む、別個の組みのパラメータに基づいて特別目的の報告書（ａｄ  ｈｏｃ  ｒｅｐｏｒｔ）を作成する能力を提供することができる。ポートのフォーマットは、次のものを提供することができる。
１．画面利用型で且つ印刷可能；
２．ＰＤＦのフォーマット；
３．ＡＳＣＩＩ  テキストのフォーマット；
４．カンマ区切り（ＣＳＶ）フォーマット。
【００４９】
［００５４］  情報へのアクセス、表示及びプリントアウトを実行することに加えて、ＧＵＩ７９０によって指令線インターフェースを提供することができ、該指令線インターフェースを使用して、指令を直接入力し且つ、監視されたネットワーク装置から結果を受け取ることができる。かかる手操作で入力された指令及び受け取った結果は、ＤＩＦにより規定されたインターフェースと適合可能であろう。
【００５０】
［００５５］  ポリシー管理モジュール（ＰＭＭ）７７０は、セキュリティ、電力の管理、ファームウェアのアップデート等のようなインテリジェントネットワーク装置の制御のためのネットワーク規模のポリシーを規定することができる。ポリシーは、これらのパラメータをインテリジェントネットワーク装置に分散することにより強制されるＤＩＦ順応制御パラメータとして実行することができる。
【００５１】
［００５６］  例えば、ＰＭＭ７７０は、ポート毎の基準に基づいてＰＳＥ機能がこれらの装置内に存在し又は存在しないかに関して規則に関するパラメータを設定することにより、ＰＰＰ又はＡ−ジャックに対する電力サービス装置（ＰＳＥ）のポリシーを規定することができる。
【００５２】
［００５７］  ＤＩＦ規定のパラメータは、ＰｏＥ電力が分配されたイーサネットケーブルを制御すべく少なくとも１つの選んだＰＳＥネットワーク装置内にて設定することができる。同様のＤＩＦ規定パラメータは、ポリシーマネージャによって制御し、次のことを行うべくＰＳＥ装置の形態を形成することができる。
【００５３】
１．ＰＳＥ装置が検出すべきＰｏＥ装置の型式（すなわち装置のみ、標準型及び非標準型装置及び（又は）種々の非標準型装置の場合、ＩＥＥＥ標準８０２．３）を制御すること；
２．ポート毎の基準にてＰＳＥサービスを作動させ又は不作動にすること；
３．ポートレベルの基準にてＰＤ  ＰｏＥ優先度及び（又は）最大の電力レベルを設定すること；
４．ポートの電力優先度をクリティカル、高及び低の１つに制御するＤＩＦパラメータを設定することにより、ＰＭＭ７７０にてポート毎の基準にてＰＳＥ優先度を制御すること。ポートの電力優先度の初期値はクリティカル（Ｃｒｉｔｉｃａｌ）とすることができる；
５．ポート毎の基準にてＰｏＥ電力供給した装置（ＰＤ）の検出技術を制御すること；ＰＭＭ７７０は、ＤＩＦにて規定された１組みの可能な数値型式に基づいてＰＤ探知型式を制御するＤＩＦ規定のパラメータを設定することができる；
６．ポート毎の基準にてＰｏＥ  ＰＤ電力等級を制御すること。ポートの電力等級化のためのＤＩＦ規定パラメータは、次のＤＩＦ規定の数値型式の１つとすることができる。
ａ）クラス０（１）：ＰＤはクラス０の装置である。
ｂ）クラス１（２）：ＰＤはクラス１の装置である。
ｃ）クラス２（３）：ＰＤはクラス２の装置である。
ｄ）クラス３（４）：ＰＤはクラス３の装置である。
ｅ）クラス４（５）：ＰＤはクラス４の装置である。
【００５４】
［００５８］  別の例において、ＰＭＭ７７０は、１日の時間、物理的位置又は接続されたＭＡＣアドレスに基づいてＡ−ジャックに対するＯＳＩ層３接続可能性の規則を規定することができる。ＤＩＦパラメータは、Ａ−ジャックを制御するＰＭＭ７７０により普及した１組みのポリシーに基づいて設定し、次のことを実行することができる：
１．イーサネット装置のような取り付けた装置を１週間の日又は１日の時間に基づいてネットワーク接続可能性から排除できるような態様にて１日の時間に基づいてＡ−ジャックのグループの層３の接続可能性を制御すること。
２．部屋のグループ内のその位置、フロア全体、フロアグループ、建物又は建物のグループに基づいてイーサネット装置のような取り付けた装置をネットワーク接続可能性から排除できるような態様にて物理的位置に基づいてＡ−ジャックグループの層３の接続可能性を制御すること。
３．そのＭＡＣアドレス又はＭＡＣアドレスの範囲に基づいてイーサネット装置のような取り付けた装置をネットワーク接続可能性から排除できるような態様にて接続した装置のＭＡＣアドレスに基づいてＡ−ジャックグループの層３の接続可能性を制御すること。
【００５５】
［００５９］  ＰＭＭ７７０がポリシーに対して適正な状態（例えば、１日の時間）を検出し且つ、ＤＩＦ規定のパラメータを設定したならば、そのポリシーを実行することができる。例えば、電力モードがインテリジェントネットワークサービス内のＤＩＦパラメータに送信された後、装置は、制御パラメータの値に従ってそのポートを制御するよう進行することができる。ＰＰＭ７７０の機能は、分散型の態様にてインテリジェントネットワーク装置により配備し且つ実行することもできる。
【００５６】
［００６０］  別の例として、ＰＭＭ７７０は、ネットワークの全体に亙ってインテリジェントネットワーク装置内にて警報状態の監視を制御する閾値パラメータに関係したパラメータを設定することができる。次に、これらの変更を、それぞれの装置に送り、それぞれの装置にて分散型の態様にてポリシーを実行することができる。
【００５７】
［００６１］  ＰＭＭ７７０は、インテリジェントネットワーク装置のＤＩＦの任意の組み合わせに対する戦略的変更を介してポリシーを具体化することができる。ＰＭＭ７７０は、ネットワーク内の装置の群又はグループ毎に又はその物理的位置により、又はその論理的ＩＰアドレス又は保存装置１６０に保存した装置の情報と関係した任意のその他のパラメータにより、保存装置１６０にアクセスして装置のリストを検索することができる。適用可能であれば、ポリシー管理モジュールは、広範囲の選んだネットワーク装置を亙る制御パラメータを並列にアップデートすることを許容する（例えば、ＧＵＩ７９０を介して）画面を含むことができる。施されたパラメータの変化は、ネットワークの管理システムのポリシーとして保存することができる。これらの保存されたパラメータは、後日、検索し且つ再使用することができる。例えば、保存したポリシーは、変化した値を無効にし又は復旧すべく選び且つ使用することができる。更に、あるポリシーを具体化したとき、ＰＭＭ７７０は、その変更値を保存し、これによりそのポリシーを適用する影響のため望ましくない結果となるならば、適用されたポリシーが実行されないようにする能力を提供することができる。
【００５８】
［００６２］  オペレータは、変更管理モジュール（ＣＭＭ）７５０を使用して提案されたネットワーク接続可能性の変更を規定し且つ保存することができる。これらは作業命令と称することができる。かかる作業命令は、ネットワーク内にてケーブルの接続部を動かし、追加し及び（又は）変更するため特定のポートレベルの指図を含むことが好ましい。オペレータは、作業命令モジュール（ＷＯＭ）７４０を使用して規定された移動／追加／変更指図の実行を調整することができる。
【００５９】
［００６３］  ＣＭＭ７５０及びＧＵＩ７９０は、オペレータに対してネットワーク論理的及び物理的トポロジーマップ及びネットワークデータベースに保存したポートレベルの接続可能性の情報を含む、インテリジェントネットワーク装置特有の情報を表示する。オペレータは、そのディスプレイに基づいて、集合的に、移動／追加／変更オペレーションと称される所望の移動、追加、除去又はその他の変更を行うことができる。規定された移動／追加／変更オペレーションは、例えば、後でネットワーク技術員が実行し得るよう保存することができる。オペレータは、図３に示すように物理的リンクに沿った任意の接続箇所（例えば、物理的リンク１３５、１４５、１５５）にてネットワーク内の任意の場所に配置された任意のケーブルに対する作業命令の変更を規定することができる。変更命令は、地理的位置、ネットワークの機能領域、変更命令を具体化するのに必要とされるネットワークの技術員の技能レベル等によってグループ化することができる。このように、順序命令は、例えば、移動／追加／変更オペレーションを部屋、ラック又は水平ケーブルの作業室にグループ化することができる。
【００６０】
［００６４］  ＷＯＭ７４０は、ネットワーク技術員がＣＭＭ７５０により規定された移動／追加／変更を実行するのを助ける。技術員が物理的にその現場に存在するならば、ＷＯＭ７４０は、インテリジェントネットワーク装置に対しネットワーク技術員を例えばＰＰＰ又はＩ−パネルのＬＥＤインジケータを介して案内するよう指図することができる。ＷＯＭ７４０は、インテリジェントネットワーク装置に対し、装置の正面側パネルにおける状態インジケータＬＥＤを変化させ、例えば、連続的又は点滅する薄黄色状態を介して移動／追加／変更オペレーションを案内するよう命令し、これにより、ネットワーク技術員を視覚的に助ける。多数のインテリジェントネットワーク装置を同時に制御して２つ又はより多くの接続点を表示することができる。
【００６１】
［００６５］  一例としての実施の形態において、インテリジェントネットワーク装置は、電流ポート接続部のテーブルを維持することができる。インテリジェントネットワーク装置によりサポートされた各ポートに対し、テーブルは、そのポート及び該ポートが接続される末端ポートのＭＡＣアドレスを識別することができる。ポートが別のポートと接続されていないならば、遠位ポートに対するテーブルのエントリを零にすることができる。このテーブルを使用してポートの接続状態が変化したときを決定することができる。例えば、ポートの変化が検出されたとき、インテリジェントネットワーク装置は、新たな情報（例えば、遠位端ポート／ＭＡＣの情報等）を電流ポートの接続部のテーブル内に保存された情報と比較することができる。情報が適合しないならば、インテリジェントネットワーク装置は、ポート接続された装置が新しいか、変更か又は切り離しであるかどうかを決定し、ＮＭＳ１２０に対する適宜なイベントの通知を発生することができる。
【００６２】
［００６６］  同様のアプローチ法を使用して、ネットワークの接続作業命令を実行する監視をサポートすることができる。例えば、ある作業命令が実行のため選ばれたとき、ＮＭＳ１２０は、「接続」−２つのポートを接続する；「切り離し」−ポートを切り離す；「接続取り消し」−接続命令を取り消す；「切り離し取り消し」−切り離し指令の取り消し及び「追跡」−ポートを追跡する、のような命令型式を表示する物理的層管理（ＰＬＭ）接続命令を影響を受けたインテリジェントネットワーク装置に伝送することができる。ＰＬＭ指令は、指令の型式に加えて、次のものを更に含むことができる。
１）関係した近位端ポートの番号（該当するならば）の識別；
２）関係した遠位端ポートの番号（該当するならば）の識別；
３）関係した遠位ＭＡＣアドレス（該当するならば）の識別；
４）ＰＬＭ指令が完了した後、ＬＥＤオペレーションを続行する時間。
【００６３】
［００６７］  インテリジェントネットワーク装置は、受け取ったＰＬＭ指令の各々と共に、受け取った情報を「計画された」接続部のテーブルに保存することができる。あるポートにて物理的変更を検出したならば、インテリジェントネットワーク装置は、利用可能な新たな接続部に関する情報を「計画された」接続部のテーブルに保持された情報と比較して計画された変更が適正に実行されたかどうかを判断することができる。例えば、ポートの情報が「計画された」接続部のテーブルに保存された情報と適合し、テーブルが新たなポート接続部と関係した情報に適合するならば、インテリジェントネットワーク装置は、作業命令が適正に実行されたと決定することができる。さもなければ、インテリジェントネットワーク装置は、作業命令が適正に実行されなかったと決定することができる。
【００６４】
［００６８］  ＮＭＳ１２０に送られたイベントの通知は、インテリジェントネットワーク装置が次のようなこと検出したことを含むことができる。
１）新たな接続；
２）新たな切り離し；
３）計画された接続部のテーブル内のエントリと適合する新たな接続；
４）計画された接続部のテーブル内のエントリと適合しない新たな接続；
【００６５】
［００６９］  図６には、スイッチとパネルパッチの出口との間に相互接続又はクロス接続の形態の接続部を追加するため一例としてのプロセス１１００を示す図が図示されている。
【００６６】
［００７０］  実行する前、オペレータは、ネットワーク接続を要求する物理的な位置又は部屋を決定し、その情報ＮＭＳ１２０に入力することができる。次に、プロセス１１００は次のように実行する。
【００６７】
［００７１］  ステップ１１２０において、ＮＭＳ１２０は、インテリジェントネットワーク装置に質問し、パネルと、所望の位置に物理的に接続されたポートとを識別することができる。
【００６８】
［００７２］  ステップ１１３０において、ステップは、ＣＭＭ７５０及びＧＵＩ７９０を使用して新たな移動／追加／変更作業命令を規定することができる。ステップ１１４０において、次に、現場のオペレータは規定された作業命令を選び且つ開始することができる（規定された作業命令の選択及び開始は選択随意的であり、ＮＭＳ１２０は直ちにステップ１１５０に移動することが可能であることに注意）。ステップ１１５０において、ＮＭＳ１２０は、Ｉ−パネルに対して、例えば、再構成モードに入り且つ、パネルの正面側の状態（ＳＴＡＴＵＳ）インジケータＬＥＤ及びポートＬＥＤを追加的なオペレーション時間の間、連続的な薄黄色状態に変更するよう指図することができる。
【００６９】
［００７３］  ステップ１１６０おいて、ネットワーク技術員は、表示されたＩ−パネルポートと別のスイッチポート（例えば、相互接続の形態をした）との間の又は表示されたＩ−パネルポートとクロス接続パッチパネル（例えば、クロス接続の形態をした）との間にてパッチコードを接続し又は切り離すことができる。
［００７４］  ステップ１１７０において、Ｉ-パネルは、イベントの通知（トラップ）をＮＭＳ１２０に送ってリンクが接続され／切り離されたことを表示することができる。
［００７５］  ステップ１１８０において、ＮＭＳ１２０は、所期のパネルポートが接続されたかどうかを決定する。
［００７６］  ステップ１１９０において、ＮＭＳ１２０は、パネルに対してポートＬＥＤを追加オペレーション前の状態に戻すことにより、成功裏の追加／移動／変更を視覚的に表示するよう指図することができる。
【００７０】
［００７７］  ＷＯＭ７４０は、Ｉ−パネル及びＰＰＰのようなパネルに対する形態変更の実行を制御し且つ追跡する機構を提供することができる。例えば、ＷＯＭ７４０は、ユーザがパッチコードの追加のみ又は除去のみのような必要とされる形態変更の型式を選ぶことにより、制限することを許容する。更に、形態変更要求の現在の状況は、以下の状態リストに従って管理することができる。
１）中断−形態変更の要求がＮＭＳ１２０に入力されたが、開始されず又は開始されたが、その開始日は、現在の日付よりも遅い日付である。この形態変更の要求と関係したパネル及びポートは、その他の形態変更の要求に利用できない；
２）進行中−形態変更の要求がＮＭＳ１２０に入力され且つ、ＮＭＳ１２０によって開始されており、このとき、Ｉ−パネルは、形態変更モードにある；
３）完了−形態変更の要求がオペレータによって完了され、Ｉ−パネルは、最早、形態変更モードにない。
【００７１】
［００７８］  ＷＯＭ７４０は、形態変更のオーナー（パッチングの追加又は除去の責任者）は、形態変更マネージャー（例えば、独特の名称及びｅメールアドレス）を識別することを許容することができる。形態変更の要求を開始したとき、形態変更の要求のオーナーにｅメールを送り、また、ＮＭＳ１２０の記録簿に記録したとき、中断中のオペレーションを通知することもできる。
【００７２】
［００７９］  更に、ＷＯＭ７４０は、形態変更の要求の期限日を決定し且つ、管理することができる。その日付が「完了」状況無しで経過した場合、再編成マネージャーに対し要求のオーナーに対する適宜な情報と共に、期限日違反メッセージを送ることができる。
【００７３】
[００８０]  図７、図８及び図９は、ＮＭＳ１２０がそれぞれのインテリジェントネットワーク装置から形態及び状況の情報を受け取り且つ、インテリジェントネットワーク装置に対して命令を伝送するための一例としてのプロセスのフローチャートである。
【００７４】
[００８１]  図７のステップ１２２０において、ＮＭＳ１２０は、保存装置１６０へのアップデートが適正であるかどうかを決定する。適正であるならば、プロセスはステップ１２３０へと進む。さもなければ、プロセスは、ステップ１２２０に戻る。ＮＭＳ１２０は、情報の要求を送ることによりステップ１２３０の情報をインテリジェントネットワークから要望し、プロセスは、ステップ１２４０へと進む。ステップ１２４０にて、インテリジェントネットワーク装置は、要求された情報に応答し、プロセスはステップ１２５０へと進む。ステップ１２５０において、ＮＭＳ１２０は、要望プロセスを反復すべきかどうかを決定する。プロセスが反復されるならば、プロセスはステップ１２２０に戻る。さもなければ、プロセスは終了する。
【００７５】
[００８２]  図８には、一例としてのイベントの通知のフローチャートが示されている。ステップ１３２０において、インテリジェントネットワーク装置は、あるイベントが生じたかどうかを決定する。あるイベントが生じたならば、プロセスはステップ１３４０へ進む。さもなければ、プロセスはステップ１３５０へと進む。ステップ１３４０において、インテリジェントネットワーク装置は、検出されたイベントと関係したデータ値を保持するイベントの通知（又はＳＮＭＰにおけるトラップメッセージ）をＮＭＳ１２０に伝送する。新たなデータは、図７及び図８に関して上述した要求又はイベントの通知に応答してインテリジェントネットワーク装置から受け取ることができる。ステップ１３５０において、インテリジェントネットワーク装置は、ＤＩＦの設定値に基づいてプロセスを不作動にすべきかどうかを決定する。不作動にすべきであるならば、プロセスは終了する。さもなければ、プロセスはステップ１３２０に戻る。
【００７６】
[００８３]  図９には、要望要求、通知イベント又はＮＭＳオペレータによる変更に応答して受け取った新たなデータに基づいてネットワークデータベースをアップデートする一例としてのＮＭＳプロセスが示されている。ステップ１４２０において、ＮＭＳ１２０は、新たなデータを受け取ったかどうかを決定する。受け取ったならば、プロセスはステップ１４３０へ進む。さもなければ、プロセスはステップ１４４０へと進む。ステップ１４３０において、ＮＭＳ１２０は、ネットワークデータベースをアップデートし、プロセスはステップ１４４０へと進む。ステップ１４４０において、ＮＭＳ１２０は、オペレータからネットワーク変更要求を受け取ったかどうかを決定する。受け取ったならば、プロセスはステップ１４５０へと進む。さもなければ、プロセスは１４６０へと進む。ステップ１４５０において、ＮＭＳ１２０は、変更要求と一致する指令を発し、プロセスはステップ１４６０へと進む。ステップ１４６０において、ＬＭＳ１２０は、アップデートプロセスがステップ１４２０に戻るか又は終了すべきかを決定する。
【００７７】
[００８４]  図１０には、一例としてのエラー報告プロセス１５００が示されている。ステップ１５２０において、インテリジェントネットワーク装置は、接続点Ａ、Ｂにおける二重の入力電圧を監視し、プロセスはステップ１５４０へと進む。ステップ１５４０において、インテリジェントネットワーク装置は、接続点Ａ又は接続点Ｂの何れかにて上限又は下限の電圧閾値を上廻ったかどうかを決定する。閾値を上廻ったならば、１つのイベントが生じ、プロセスは１５５０へと進む。さもなければ、プロセスはステップ１５６０に戻る。ステップ１５５０において、インテリジェントネットワーク装置は、検出されたイベントの厳格度を識別し（例えば、所定の検索テーブルに基づいて）、プロセスはステップ１５６０へと進む。ステップ１５６０において、インテリジェントネットワーク装置は、ＤＩＦにて規定された受け手及び関係した厳格度の値に基づいて（又はＳＮＭＰにおける管理された装置のトラップ受け手のテーブルにより）１組のイベントの通知の受け手を識別し、また、ステップ１５７０へと進む。ステップ１５７０において、インテリジェントネットワーク装置は、イベント通知を伝送し且つステップ１５８０へと進む。ステップ１５８０において、インテリジェントネットワーク装置は、監視を終了すべきか（例えば、ＮＭＳ１２０からの指令が切り離しを強制する場合）どうかを決定する。監視を終了すべきならば、プロセスは終了する。さもなければ、プロセスはステップ１５２０に戻る。
【００７８】
[００８５]  ＤＩＦは、インテリジェントネットワーク装置とＮＭＳ１２０との間の情報の交換の基礎を規定する。例えば、インテリジェントネットワーク装置は、インテリジェントネットワーク装置が共通のＤＩＦを共用する任意のＮＭＳ１２０に対し規定されたイベントの通知を送ることができる。更に、ＮＭＳ１２０は、ＮＭＳ１２０が共通のＤＩＦを共用する任意のインテリジェントネットワーク装置内の制御パラメータから情報を要求し且つ（又は）その制御パラメータを設定することができる。このようにして、ＮＭＳ１２０は、監視されたネットワークの正確な状況を維持し且つ、ＮＭＳ１２０内にて集中的に規定されるが、依然としてそれぞれのインテリジェントネットワーク装置により効率的に実行されるポリシーに従って、制御パラメータを規定し且つ配備することができる。好ましい実施の形態は、各型式のインテリジェントネットワーク装置と関係したコアオブジェクトを規定し且つ、新たなオブジェクトを必要に応じて容易に拡張可能な態様にて追加することを許容するＳＮＭＰ管理情報ベース（ＭＩＢ）の形態にて具体化することができる。
【００７９】
［００８６］  上記に開示した色々な形態及びその他の特徴並びに機能は、又はそれらの代替例は、多くのその他の異なるシステム又は適用例に望ましいように組み合わせることができることは明らかであろう。また、現在予見されず又は予想されない色々な代替例、形態変更例、変更又は改良例は、その後に当該技術の当業者により為すことができ、これらも特許請求の範囲に包含することを意図するものである。
【図面の簡単な説明】
【００８０】
【図１】最終ユーザ装置とネットワーク管理システム（ＮＭＳ）との間の接続可能性を提供する一例としてのネットワークシステムの概略図的な全体図である。
【図２】最終ユーザ装置及びＮＭＳをネットワークと接続する更なる詳細を示す、図１に示したネットワークシステムの概略図的な全体図である。
【図３】追加的な詳細と共に図２に示したネットワークシステムの一例としてのブロック図である。
【図４】一例としてのインテリジェントネットワーク装置のシステムレベルのブロック図である。
【図５】一例としてのＮＭＳのシステムレベルのブロック図である。
【図６】一例としての移動／追加／変更作業命令に対するプロセスフローを示す図である。
【図７】一例としてのＮＭＳ要望プロセスフローを示す図である。
【図８】一例としてのイベントの通知プロセスフローを示す図である。
【図９】一例としての詳細なイベントの通知のプロセスフローを示す図である。
【図１０】一例としてのＮＭＳデータベースのアップデートプロセスフローを示す図である。
【図１】
2008511259.tif 000003
【図２】
2008511259.tif 000004
【図３】
2008511259.tif 000005
【図４】
2008511259.tif 000006
【図５】
2008511259.tif 000007
【図６】
2008511259.tif 000008
【図７】
2008511259.tif 000009
【図８】
2008511259.tif 000010
【図９】
2008511259.tif 000011
【図１０】
2008511259.tif 000012
【国際調査報告】
2008511259.tif 000013
2008511259.tif 000014
2008511259.tif 000015